(57)【要約】      （修正有）【課題】直管蛍光灯を用いる蛍光灯装置において、低ワット数の短い直管蛍光灯を使用することができる直管蛍光灯アダプタを提供する。【解決手段】本考案の直管蛍光灯アダプタは、筒状の本体部２と、この本体部２の両端のうち一端に設けた蛍光管受部２Ａ及び他端に設けたソケット接続部２Ｂと、蛍光管受部２Ａとソケット接続部２Ｂとの間で電気的に接続する結線部３とを備えることとした。【選択図】図１
0003160089.tif 000002
【実用新案登録請求の範囲】
【請求項１】
直管蛍光灯に接続して蛍光灯装置に装着する直管蛍光灯アダプタにおいて、筒状の本体部と、この本体部の両端のうち一端に設けた蛍光管受部及び他端に設けたソケット接続部と、前記蛍光管受部と前記ソケット接続部との間で電気的に接続する結線部とを備えたことを特徴とする直管蛍光灯アダプタ。
【請求項２】
結線部が、通電のオン・オフを行うスイッチ部、大電流が流れた際に断電するヒューズ部、の一方または両方を少なくとも備えた回路部に接続していることを特徴とする請求項１記載の直管蛍光灯アダプタ。
【請求項３】
本体部が、長さ方向に伸縮可能な構成とされていることを特徴とする請求項１又は２記載の直管蛍光灯アダプタ。
【請求項４】
本体部を把持すると共に蛍光灯装置の反射板と着設可能な支持体を備えることを特徴とする請求項１〜３のいずれかに記載の直管蛍光灯アダプタ。
【考案の詳細な説明】
【技術分野】
【０００１】
本考案は、規格で定められたワット数及び長さの直管蛍光灯を装着する既存の蛍光灯装置に対して、低ワット数で長さの短い直管蛍光灯を取り付けて使用することができる直管蛍光灯アダプタに関するものである。
【背景技術】
【０００２】
従来、直管蛍光灯は、ワット数によって長さが決められており、例えば４Ｗであれば１３４．５ｍｍ、１１０Ｗであれば２３６７ｍｍとされている。そして、直管蛍光灯を装着して発光させる蛍光灯装置もまた該直管蛍光灯に応じてソケット間長さが自ずと決められており、当然ながら蛍光灯装置に合った直管蛍光灯を装着することとなる。
【０００３】
ところで、昨今では、地球環境の保護の一環として省エネルギー化が提唱され、無駄な電力の消費を抑えるべく、不要な照明電源をオフにしたり、オンとする照明を間引いたりする人為的な活動、同輝度で低電力の照明手段を開発するなどの技術的な活動、が活発となっている。
【０００４】
行列状に多数設けられた直管蛍光灯群を有する倉庫などにおいては、従来では間引いてオンとすることで全体の消費電力を抑えるようにしていたが、これでは、オフとした部分が局所的に暗いといった不具合がある。
【０００５】
そこで、低ワット数の直管蛍光灯を用いることも考えられるが、上記のとおり蛍光灯装置は直管蛍光灯の長さに応じて既に製造されかつ既に建物に設けられているので、低ワット数の直管蛍光灯を用いるには改装費や蛍光灯装置の交換コスト等がかかり、非現実的である。
【０００６】
なお、既存の（直管蛍光灯を装着する）蛍光灯装置に応じたワット数の直管蛍光灯（以下、正規蛍光灯という）より低いワット数の直管蛍光灯（以下、低ワット蛍光灯という）を装着する技術に関して調べたところ以下の特許文献１，２が存在した。
【先行技術文献】
【特許文献】
【０００７】
【特許文献１】特表２００２−５００８０５号公報
【特許文献２】特許第３７９９５６５号公報
【０００８】
特許文献１は、正規蛍光灯の両端部の電極と蛍光灯装置のソケット部の接続に関して、該電極及び正規蛍光灯の蛍光管部を覆う筒状体を設けて、絶縁と損傷を抑制する構成が開示されているが、該筒状体が蛍光灯装置に正規の直管蛍光灯を使用するための構成である点で関連性はない。
【０００９】
一方、特許文献２の特に図９には、正規蛍光灯に代えて低ワット蛍光灯を蛍光灯装置に接続する構成が開示されている点で関連性がある。しかし、特許文献２の構成では、該蛍光灯装置全体の回路上において断電部分が生じて全体が非導電回路とないように結線しているだけであって、低ワット蛍光灯を発光させる構成ではない。
【００１０】
特許文献２では、もう１灯の正規蛍光灯において、発光させない低ワット蛍光灯の光量を補いかつ向上させることができる旨示されているだけであって、低ワット蛍光灯に関しては発光させないので効果としては間引いて点灯・消灯させているのと同じである。なお、特許文献２では（回路形成に関与するが発光はしない）ダミー管でもよい旨示されているが、ダミー管も発光しないので、上記同様、間引いているのと同じである。
【考案の概要】
【考案が解決しようとする課題】
【００１１】
解決しようとする問題点は、直管蛍光灯を装着する既存の蛍光灯装置では、装着する直管蛍光灯（の長さ）が決められているので、低ワット数の短い直管蛍光灯を使用することができない点、また、特許文献２では別途用意した低ワット数の直管蛍光灯を発光させないので間引いて点灯・消灯しているのと同じである点、である。
【課題を解決するための手段】
【００１２】
本考案は、直管蛍光灯に接続して蛍光灯装置に装着する直管蛍光灯アダプタにおいて、筒状の本体部と、この本体部の両端のうち一端に設けた蛍光管受部及び他端に設けたソケット接続部と、蛍光管受部とソケット接続部との間で電気的に接続する結線部とを備えることを最も主要な構成とする。
【考案の効果】
【００１３】
本考案は、上記構成とすることで、低ワット数の短い直管蛍光灯を蛍光灯装置において１灯だけあるいは全灯使用することができるという利点があると共に、低ワット数であるために消費電力を抑えることができるという利点がある。また、本考案は、低ワット数の短い直管蛍光灯も点灯させるので、間引いて点灯・消灯させた場合に較べて照明空間に局所的な暗部が生じることを抑制できる。
【図面の簡単な説明】
【００１４】
【図１】図１は、本考案の直管蛍光灯アダプタの分解斜視図である。（実施例１）
【図２】図２は、本考案の直管蛍光灯アダプタの全体図である。（実施例１）
【図３】図３は、本考案の直管蛍光灯アダプタの断面図である。（実施例１）
【図４】図４は、本考案の直管蛍光灯アダプタの概略構成を示す部分断面図である。（実施例２）
【図５】図５は、本考案の直管蛍光灯アダプタの概略構成を示す部分断面図である。（実施例３）
【図６】図６は、本考案の直管蛍光灯アダプタの概略構成を示し、（ａ）は使用状況を示す要部斜視図、（ｂ）は部材のみを示す正面図、（ｃ）は部材のみを示す側面図、である。（実施例４）
【図７】図７は、本考案の直管蛍光灯アダプタの概略及び使用状況を示す斜視図である。（実施例５）
【図８】図８（ａ）〜（ｍ）は、本考案の直管蛍光灯アダプタの使用状況を示す図である。（実施例１〜５）
【図９】図９（ａ）〜（ｃ）は、本考案の直管蛍光灯アダプタの使用状況を示す図である。（実施例１〜５）
【考案を実施するための形態】
【００１５】
本考案は、正規のワット数の直管蛍光灯に代えて、これに較べて短く低ワット数の直管蛍光灯を蛍光灯装置において使用可能にするために、筒状の本体部と、この本体部の両端のうち一端に設けた蛍光管受部及び他端に設けたソケット接続部と、蛍光管受部とソケット接続部との間で電気的に接続する結線部とを備えることとした。
【００１６】
このようにすることで、既存の蛍光灯装置において、低ワット数の短い直管蛍光灯を使用することができるので、全体的な照度は低くなるが、例えば厳格に照度を定めていない空間、蛍光灯装置群が設けられた例えば倉庫等で使用することで確実に消費電力を抑制することができる。
【００１７】
そして、例えば蛍光灯装置群において間引いてオンにすると、オフとされている蛍光灯装置の箇所が局所的に暗くなって作業がし難いなどの不具合が生じるが、本考案の直管蛍光灯アダプタを用いれば、ある１つの蛍光灯装置全体（の箇所）がオフとなることがないので、局所的な暗所が生じることはなく全体を照明することができる。
【００１８】
さらに、倉庫などの広大な空間でも、ある部分は高い照度が求められ、ある部分はそれほど照度が求められないといった場合があり、従来では、そのような照度設定は蛍光灯装置のオン・オフ、又は蛍光灯装置群を調光設定が可能なものに取り替える、等の大がかりな作業や交換等の必要があるが、本考案の直管蛍光灯アダプタであれば照度が求められない部分だけ用いればよく、既存の蛍光灯装置（群）に関しては何らの変更を必要としない点で、低設備コストで高い節電効果を得ることができる。
【００１９】
また、本考案の他の形態としては、上記構成において、結線部が、通電のオン・オフを行うスイッチ部、大電流が流れた際に断電するヒューズ部、の一方または両方を少なくとも備えた回路部に接続するようにしてもよい。
【００２０】
このようにすることで、従来の蛍光灯装置群ではある範囲の複数の蛍光灯装置を一斉にオン又はオフにしかできなかったが、本考案であれば直管蛍光灯アダプタを使用した低ワット数で短い直管蛍光灯単位でのオン・オフが可能となるので、オンにしても節電効果があるが、完全に不要（暗所となってもよい）部位については局所的にオフにできるからさらに節電効果が高くなる。
【００２１】
また、ヒューズ部を設けている場合は、何らかのトラブルで当該低ワット数で短い直管蛍光灯に過電流が生じた際にもここで短絡して蛍光灯装置（群）全体にトラブルがおよぶことを抑制することができる。
【００２２】
さらに、本考案の他の形態としては、上記構成において、本体部が、長さ方向に伸縮可能な構成してもよく、このようにすることで、既存の蛍光灯装置において、使用可能な低ワット数で短い直管蛍光灯の選択肢が増えるから、意図的に（計画に基づいて）消費電力を抑制したり、細かく照度設定を行うことができる。
【００２３】
また、本考案の他の形態としては、上記構成において、本体部を把持すると共に蛍光灯装置の反射板と着設可能な支持体を備えるようにしてもよく、このようにすれば、低ワットで短い直管蛍光灯及び本考案の直管蛍光灯アダプタにおける本体部を、蛍光灯装置に確実に支持しておくことができるから、万が一にも脱落などなく、安全に使用することができる。
【００２４】
以下に、本考案の構成を実施例１〜６として図１〜図９を参照してさらに詳細に説明する。図１〜図３は実施例１に関する構成を、図４は実施例２に関する構成を、図５は実施例３に関する構成を、図６は実施例４に関する構成を、図７は実施例５に関する構成を、図８，９は、実施例１〜実施例５における構成を実施した状況を、各々示している。
【００２５】
そして、実施例１において基本となる構成を説明し、実施例２〜実施例５において実施例１と同じ構成については同じ参照符号を付して説明を省略し、実施例１と異なる構成について別の参照符号を付して説明している。
【実施例１】
【００２６】
図１〜３及び図８，９に示す実施例１における直管蛍光灯アダプタ１（以下、アダプタ１と記す）は、次の構成とされている。アダプタ１は、筒状の本体部２と、この本体部２の両端のうち一端に設けた蛍光管受部２Ａ及び他端に設けたソケット接続部２Ｂと、蛍光管受部２Ａとソケット接続部２Ｂとの間で電気的に接続する結線部３とを備えている。
【００２７】
実施例１のアダプタ１は、例えば、蛍光灯装置Ｍ（図８，９）に応じた正規ワット数で正規長さの直管蛍光灯Ｌ（以下、正規管Ｌと記す）に代えて、低ワット数で（短い）直管蛍光灯Ｓ（以下、低ワット管Ｓと記す）を、固定的に使用する場合についての構成である。なお、前記固定的に使用する場合とは、本実施例１において、当該蛍光灯装置Ｍにおいて、アダプタ１によって使用できる低ワット管Ｓは１種類だけという意味である。
【００２８】
本体部２は、本実施例１では例えば不透明の白色の樹脂でなり、断面が直管蛍光灯の標準的な直径の円形とされている。なお、本体部２は、例えば透明の樹脂としてもよいし、透明の樹脂とすると共に結線部３を裏面側に配置するように鏡（不図示）を配置するようにしてもよい。すなわち、本体部２は、アダプタ１と接続する低ワット管Ｓを接続して使用した際に生じる、当該低ワット管Ｓの部位と正規管Ｌとの照度差を低減させる構成とされている。
【００２９】
このようにすることで、アダプタ１は、蛍光灯装置Ｍにおいて、該蛍光灯装置Ｍをオンにした際には、低ワット管Ｓは正規管Ｌよりも暗いのは当然としても、本体部２部分だけが著しく（不自然に）暗くなるということがなく、該蛍光灯装置Ｍにおける低ワット管Ｓ接続部位全長に亘って発光しているように見せることができる。
【００３０】
本体部２の一端に設けた蛍光管受部２Ａは、低ワット管Ｓの端部の電極及び金具並びに蛍光管の若干を覆うように構成されている。蛍光管受部２Ａは、本体部２から順に、本実施例１では、本体部２に外嵌される接続体２Ａａ、管側電極体２Ａｂ、支持被覆体２Ａｃからなる。
【００３１】
接続体２Ａａは、一端が本体部２に対して本実施例１では例えば外嵌され、他端の内周面には螺子Ｗが形成されている。管側電極体２Ａｂは、一端の外周面に前記接続体２Ａａの他端の内周面の螺子Ｗに螺入される螺子Ｍが形成され、中央部で本体部２と連通する中空を区画する非導電性の壁面を貫通した孔の内周面が導電性とされた管側電極２ａが形成され、さらに他端に低ワット管Ｓの端部が挿入される挿入部２ｂが形成されている。
【００３２】
支持被覆体２Ａｃは、例えば透明なシリコン樹脂でなり、管側電極体２Ａｂの他端に形成された挿入部２ｂに外嵌し、この外嵌部位とは反対側の端部が該挿入部２ｂの内径より小径とされている。つまり低ワット管Ｓは、支持被覆体２Ａｃの端部の前記小径部位を押し広げつつ、管側電極体２Ａｂの挿入部２ｂに挿入され、該低ワット管Ｓの電極が管側電極２ａに挿入される。
【００３３】
ソケット接続部２Ｂは、蛍光灯装置Ｍのソケットに接続されるべく、低ワット管Ｓ、正規管Ｌ、の両端の電極部位と同様の構成とされている。すなわち、ソケット接続部２Ｂは、本体部２側から順に、本実施例１では、本体部２に外嵌される接続体２Ｂａ、ソケット側電極体２Ｂｂ、からなる。
【００３４】
接続体２Ｂａは、一端が上記のとおり本体部２に外嵌し、他端にソケット側電極体２Ｂｂが外嵌される。ソケット側電極体２Ｂｂは、本体部２と連通する孔を区画する非導電性の金具２ｃの表裏を突出状に設けたソケット側電極２ｄが形成されている。
【００３５】
なお、本実施例１では、接続体２Ａａ，２Ｂａが本体部２に対して外嵌する構成を示すが、接続体２Ａａの本体部２側の内周は端部へ向けて内径がしだいに小さくし、接続体２Ｂａの長さ方向途中部位には段部を形成し、本体部２との嵌合を規制している。
【００３６】
すなわち、接続体２Ａａ，２Ｂａと本体部２との嵌合が、浅く不適切な場合は低ワット管Ｓと（該低ワット管Ｓを装着した）アダプタ１が蛍光灯装置Ｍに装着できない場合があり、深く不適切な場合は、低ワット管Ｓと（該低ワット管Ｓを装着した）アダプタ１が容易に脱落する可能性がある。
【００３７】
したがって、接続体２Ａａ，２Ｂａと本体部２との嵌合を規制、つまり本体部２と接続体２Ａａ，２Ｂａとの嵌合がそれ以上進まない部位までしっかりと嵌合させる構成としていることで、低ワット管Ｓと（該低ワット管Ｓを装着した）アダプタ１の長さが安定し、上記のような不具合が生じることを防止できる。
【００３８】
低ワット管Ｓと（該低ワット管Ｓを装着した）アダプタ１の長さを安定させる観点では、例えば接続体２Ａａ，２Ｂａとが本体部２と一体的に形成された構成としてもよく、また、低ワット管Ｓと（該低ワット管Ｓを装着した）アダプタ１を蛍光灯装置Ｍに装着した際の長さ方向の微調整を行う観点では、本体部２の両端外周と、接続体２Ａａ，２Ｂａの各本体部２側の端部内周とに、螺合可能な螺子を形成しておき、本体部２を回転させ、該接続体２Ａａ，２Ｂａと相対した該本体部２の螺入出が行われるように構成すればよい。
【００３９】
結線部３は、本体部２の内部において、蛍光管受部２Ａの管側電極２ａと、ソケット接続部２Ｂのソケット側電極２ｄとの間を電気的に接続するために、両端のそれぞれを該管側電極２ａと該ソケット側電極２ｄとにはんだ付けした電気接続線である。
【００４０】
上記構成の本実施例１のアダプタ１は、次のように使用される。例えば本実施例１では、４０Ｗで１１９８ｍｍの正規管Ｌが用いられる当該蛍光灯装置Ｍにおいて、該正規管Ｌに代えて、３６８ｍｍの長さのアダプタ１によって、３２Ｗで８３０ｍｍの低ワット管Ｓを用いる状況を説明する。
【００４１】
まず、３２Ｗの低ワット管Ｓの一端を蛍光管受部２Ａにおける支持被覆体２Ａｃを介して管側電極体２Ａｂに挿入し、該管側電極体２Ａｂの管側電極２ａに低ワット管Ｓの一端側の電極を挿入する。この状態で、低ワット管Ｓとアダプタ１とで通常の蛍光管と同様の（発光させるための）回路が形成されたことになる。
【００４２】
続いて、低ワット管Ｓの他端の電極、アダプタ１のソケット接続部におけるソケット側電極体２Ｂｂのソケット側電極２ｄ、の各々を蛍光灯装置Ｍのソケットに（正規管Ｌを装着するのと同様に）装着する。この状態で、蛍光灯装置Ｍをオンにすることで、本来４０Ｗの正規管Ｌを点灯させるべき蛍光灯装置Ｍにおいて３２Ｗの低ワット管Ｓを点灯させることができる。
【００４３】
本実施例１では、４０Ｗの正規管Ｌに代えて、３２Ｗの低ワット管Ｓを用いたので、（３２Ｗ／４０Ｗ）×１００＝８０％の消費電力となり、正規管Ｌの点灯の消費電力と較べて２０％削減することができる。
【実施例２】
【００４４】
図４に示す実施例２は、実施例１の構成における結線部３が、通電のオン・オフを行うスイッチ部４Ａ、過電流が流れた際に断電するヒューズ部４Ｂ、の例えば両方を少なくとも備えた回路部４に接続している構成とされており、他は該実施例１と同様である。
【００４５】
本実施例２では、回路部４におけるスイッチ部４Ａは両方の電極の結線部３と接続され、このスイッチ部４Ａをオフに操作すると、例えば複数の直管蛍光灯を備える蛍光灯装置Ｍであれば前記オフに操作したアダプタ１を有する当該蛍光灯装置Ｍ全体がオフとなる。
【００４６】
なお、スイッチ部４Ａは片方の電極の結線部３に接続している場合は、このスイッチ部４Ａをオフに操作すると、例えば複数の直管蛍光灯を備える蛍光灯装置Ｍであれば前記オフに操作したアダプタ１と接続した低ワット管Ｓだけをオフとすることができる。
【００４７】
本実施例２では、ヒューズ部４Ｂは両方の電極の結線部３と接続している場合は、過電流が流れた際、このヒューズ部４Ｂにより例えば複数の直管蛍光灯を備える蛍光灯装置Ｍであればアダプタ１を有する当該蛍光灯装置Ｍ全体が断電する。
【００４８】
なお、ヒューズ部４Ｂが片方の電極の結線部３に接続している場合は、過電流が流れた際、このヒューズ部４Ｂにより例えば複数の直管蛍光灯を備える蛍光灯装置Ｍであればアダプタ１と接続した低ワット管Ｓだけが断電する。
【００４９】
本実施例２の構成とすれば、スイッチ部４Ａによっては、不必要な範囲を照明する蛍光灯装置Ｍあるいは低ワット管Ｓだけを部分的にオフにすることができ、または必要な範囲の蛍光灯装置Ｍあるいは低ワット管Ｓだけをオンにすることができ、より細やかな節電操作が可能となる。
【００５０】
また、実施例２の構成とすれば、ヒューズ部４Ｂによっては、低ワット管Ｓを用いるに際して、蛍光灯装置Ｍにおけるトラブルを回避して、蛍光灯装置Ｍの故障、低ワット管Ｓや正規管Ｌの破損等を抑制することができる。
【００５１】
さらに、本実施例２では、回路部４としてスイッチ部４Ａとヒューズ部４Ｂの両方を備える構成を示したが、これらはいずれか一方でもよく、また、その他のいわゆる補償回路、安定回路、遠隔操作信号の送受信回路、調光回路のような機能を備える構成とすれば、アダプタ１を介して様々な機能を付加できる。
【実施例３】
【００５２】
図５に示す実施例３は、実施例１の構成において、本体部２１を例えば２分割して、一方（例えば低ワット管Ｓ側）を外筒部２１Ａとし、他方（例えば蛍光灯装置Ｍ側）を内筒部２１Ｂとすると共に、外筒部２１Ａの一部に螺子孔２１Ａａを形成し、この螺子孔２１Ａａに螺子２１Ａｂを内筒部２１Ｂに達するまで螺入するように構成しており、他は実施例１と同様である。
【００５３】
この実施例３では、本体部２１の長さを外筒部２１Ａと内筒部２１Ｂとの嵌合量を調整することで伸縮自在としており、これにより、例えば低ワット管Ｓとアダプタ１を接続して蛍光灯装置Ｍに装着した際に装着に緩みが生じる場合や、装着が困難な場合に、伸縮調整することができる。
【００５４】
また、実施例３では、例えば実施例１のように４０Ｗの正規管Ｌが用いられる当該蛍光灯装置Ｍにおいて、該正規管Ｌに代えて、例えば３０Ｗで６３０ｍｍの低ワット管Ｓ（実施例１では３２Ｗで８３０ｍｍ）を用いる場合には、３２Ｗの低ワット管Ｓを用いる状態から２００ｍｍ伸張して５６８ｍｍとしたアダプタ１に該３０Ｗの低ワット管Ｓを接続させることができる。
【００５５】
したがって、本実施例３のアダプタ１だけで、複数種の低ワット管Ｓを選択することが可能となり、消費電力と調光のさらに細かい調整を行うことが可能となると共に、装着の安全性及び容易性が向上する。
【実施例４】
【００５６】
図６に示す実施例４は、実施例１の構成において、本体部２を把持すると共に蛍光灯装置Ｍの反射板（不図示）と着設可能な支持体５を備える点が、実施例１の構成とは異なり、他は実施例１と同様の構成である。
【００５７】
支持体５は、本体部２を把持するために、断面円形の一部を切欠いた樹脂でなる把持部５Ａと、この把持部５Ａの円弧外周に接続された着設部５Ｂとからなる。着設部５Ｂは、把持部５Ａと接続した側と反対側に、例えば蛍光灯装置Ｍの反射板に例えば磁石でなる着設部材５Ｂａが設けられ、該把持部５Ａと接続した側と着設部材５Ｂａ間の間隔が調整可能とされている。なお、着設部材５Ｂａは、磁石に代えて接着剤、また、紐や係合フックであってもよい。
【００５８】
この支持体５は、低ワット管Ｓをアダプタ１に装着する状況に応じて本体部２に、あるいは場合によっては低ワット管Ｓに、把持部５Ａを介して１個又は複数設ければ、低ワット管Ｓやアダプタ１が蛍光灯装置Ｍからの脱落を防止することができる。
【実施例５】
【００５９】
図７に示す実施例５は、アダプタ１に関する構成は実施例１と同じであるが、使用状況が実施例１と異なっている。すなわち、実施例１では、４０Ｗの正規管Ｌが用いられる当該蛍光灯装置Ｍにおいて、該正規管Ｌに代えて、３６８ｍｍの長さの１個のアダプタ１によって、３２Ｗで８３０ｍｍの低ワット管Ｓを用いていたが、実施例５では、長さを１８４ｍｍとしたアダプタ１を２個用いて３２Ｗの低ワット管Ｓを用いるようにしている。
【００６０】
このようにすることで、蛍光灯装置Ｍの長さ方向の中央部に低ワット管Ｓを位置させることができるから、実施例１のように蛍光灯装置Ｍの長さ方向の一方に低ワット管Ｓが偏っている場合に較べて照明効率が高くなる。
【００６１】
なお、以上説明した、実施例１〜５における各構成は、実施例１に対して、実施例２〜５の１又は複数を選択的に採用してもよく、その場合は、採用した各実施例における効果を得ることができる。
【００６２】
図８（ａ）〜（ｍ）は、正規管Ｌを２灯装着する蛍光灯装置Ｍにおいて、低ワット管Ｓを本考案のアダプタ１によって使用する状況を示しており、ハッチング部分がアダプタ１である。また、分割線が存在するハッチング部分は短尺のアダプタ１を連結して使用している状況を示している。
【００６３】
また、図９（ａ）〜（ｃ）は、正規管Ｌを１灯装着する蛍光灯装置Ｍにおいて、低ワット管Ｓを本考案のアダプタ１によって使用する状況を示しており、ハッチング部分がアダプタ１である。また、分割線が存在するハッチング部分は短尺のアダプタ１を連結して使用している状況を示している。
【００６４】
このように蛍光灯装置Ｍにより照明する範囲に応じて、該蛍光灯装置Ｍにおける低ワット管Ｓの位置を細かく設定できるので、低ワット管Ｓを採用することで（消費電力を抑制されることと引き替えに）全体照度自体は低下するものの、照明効果としてはさほど低下しない。
【産業上の利用可能性】
【００６５】
本考案の直管蛍光灯アダプタは、上記実施例では特に場所を特定していなかったが、例えば店舗のバックヤード、倉庫、といった照度の低下が作業環境を必ずしも悪化させない場所に設けられた蛍光灯装置において適用でき、例えば、消費電力の抑制のために蛍光灯装置群を間引いて消灯しているような環境下で適用して好適である。
【符号の説明】
【００６６】
１  （直管蛍光灯）アダプタ
２  本体部
２Ａ  蛍光管受部
２Ｂ  ソケット接続部
３  結線部
４  回路部
４Ａ  スイッチ部
４Ｂ  ヒューズ部
５  支持体
５Ａ  把持部
５Ｂ  着設部
２１  本体部
２１Ａ  外筒部
２１Ｂ  内筒部
Ｓ  低ワット管
Ｌ  正規管
Ｍ  蛍光灯装置
【図１】
0003160089.tif 000003
【図２】
0003160089.tif 000004
【図３】
0003160089.tif 000005
【図４】
0003160089.tif 000006
【図５】
0003160089.tif 000007
【図６】
0003160089.tif 000008
【図７】
0003160089.tif 000009
【図８】
0003160089.tif 000010
【図９】
0003160089.tif 000011